(57)【要約】【課題】  曲がった架空線に対しても、容易かつ確実に取り付けることが可能なクリップ付き防護管を提供する。【解決手段】  電線Ｌに沿って変形自在で、全長にわたってスリット２ａが形成された管本体２と、洗濯バサミ状で、挟持部３１が管本体２内に位置し操作部３２が管本体２外に位置するように設けられたクリップ２と、を備え、クリップ２の操作部３２を操作して挟持部３１を広げると、スリット２ａが広がって開口が形成され、該開口から管本体２内に電線Ｌを挿入可能となり、管本体２内に電線Ｌを挿入した状態で、操作部３２を操作して挟持部３１を閉じると、挟持３１部が電線Ｌを挟持して開口が閉じる。【選択図】  図１
2016152748.tif 000002
【特許請求の範囲】
【請求項１】
管状で、電線や通信線を含む架空線に沿って変形自在で、全長にわたってスリットが形成された管本体と、
洗濯バサミ状で、挟持部が前記管本体内に位置し操作部が前記管本体外に位置するように設けられたクリップと、を備え、
前記クリップの前記操作部を操作して前記挟持部を広げると、前記スリットが広がって開口が形成され、該開口から前記管本体内に前記架空線を挿入可能となり、前記管本体内に前記架空線を挿入した状態で、前記操作部を操作して前記挟持部を閉じると、前記挟持部が前記架空線を挟持して前記開口が閉じる、
ことを特徴とするクリップ付き防護管。
【請求項２】
前記クリップが、前記管本体の長手方向に沿って複数設けられている、
ことを特徴とする請求項１に記載のクリップ付き防護管。
【請求項３】
前記管本体の前記スリットの端縁に、該端縁に沿って延び前記架空線を前記管本体内に案内するガイド部が設けられている、
ことを特徴とする請求項１または２のいずれか１項に記載のクリップ付き防護管。
【発明の詳細な説明】
【技術分野】
【０００１】
この発明は、電線や通信線を含む架空線に取り付ける保護管に関し、特に、架空線を挟持するクリップを備えたクリップ付き防護管に関する。
【背景技術】
【０００２】
活線作業において配電線等の近接限界内に入る際には、配電線等に防護管を取り付ける必要があり、また、間接活線工法において間接機材等による地絡事故を防止するために、配電線等に防護管を取り付けている。この防護管において、電線への取り付けの作業性を向上し得るものが知られている（例えば、特許文献１参照。）。この防護管は、両端開放の管状部を有し、この管状部が、長手方向一端から他端まで連続した切断線部を備えると共に、この切断線部から拡開可能な弾性を有するものである。
【先行技術文献】
【特許文献】
【０００３】
【特許文献１】特開２０１４−１９３００８号公報
【発明の概要】
【発明が解決しようとする課題】
【０００４】
しかしながら、従来の防護管は、真っ直ぐな管であるため、機器の縁線や高圧分岐の縁線など３次元的に曲がった電線に取り付けることが困難であった。また、間接活線工法用の絶縁シートを電線に取り付ける場合、取り付けが困難であったり取り付けに手間がかかったりするばかりでなく、風などによって外れてしまうおそれがある。このように、曲がった電線を容易かつ確実、適正に絶縁保護することが困難であった。
【０００５】
そこでこの発明は、曲がった架空線に対しても、容易かつ確実に取り付けることが可能なクリップ付き防護管を提供することを目的とする。
【課題を解決するための手段】
【０００６】
上記課題を解決するために、請求項１の発明は、管状で、電線や通信線を含む架空線に沿って変形自在で、全長にわたってスリットが形成された管本体と、洗濯バサミ状で、挟持部が前記管本体内に位置し操作部が前記管本体外に位置するように設けられたクリップと、を備え、前記クリップの前記操作部を操作して前記挟持部を広げると、前記スリットが広がって開口が形成され、該開口から前記管本体内に前記架空線を挿入可能となり、前記管本体内に前記架空線を挿入した状態で、前記操作部を操作して前記挟持部を閉じると、前記挟持部が前記架空線を挟持して前記開口が閉じる、ことを特徴とするクリップ付き防護管である。
【０００７】
この発明のクリップ付き防護管を架空線に取り付けるには、クリップの操作部を操作して管本体に開口を形成し、この開口から架空線を管本体内に挿入して、管本体を架空線に沿って変形させ、クリップの操作部を操作して挟持部で架空線を挟持すればよい。
【０００８】
請求項２の発明は、請求項１に記載のクリップ付き防護管において、前記クリップが、前記管本体の長手方向に沿って複数設けられている、ことを特徴とする。
【０００９】
請求項３の発明は、請求項１または２に記載のクリップ付き防護管において、前記管本体の前記スリットの端縁に、該端縁に沿って延び前記架空線を前記管本体内に案内するガイド部が設けられている、ことを特徴とする。
【発明の効果】
【００１０】
請求項１の発明によれば、管本体が架空線に沿って変形自在で、しかも、クリップの挟持部で架空線を挟持するため、曲がった架空線に対しても容易かつ確実、適正に取り付けることが可能となる。さらに、クリップの操作部を操作するだけで、管本体に開口を形成したり架空線を挟持したりできるため、間接活線工法においても容易に取り付けることが可能となる。
【００１１】
請求項２の発明によれば、クリップが管本体の長手方向に沿って複数設けられているため、複数のクリップの挟持部で架空線を挟持することで、より確実、適正にかつ安定して取り付けることが可能となる。
【００１２】
請求項３の発明によれば、管本体のスリットの端縁にガイド部が設けられているため、架空線を管本体内に挿入しやすくなり、より容易かつ適正に取り付けることが可能となる。
【図面の簡単な説明】
【００１３】
【図１】この発明の実施の形態に係るクリップ付き防護管を示す正面図（ａ）と側面図（ｂ）である。
【図２】図１のクリップ付き防護管のクリップの挟持部を広げた状態を示す側面図である。
【図３】図１のクリップ付き防護管のクリップの挟持部で電線を挟持した状態を示す側面図である。
【発明を実施するための形態】
【００１４】
以下、この発明を図示の実施の形態に基づいて説明する。
【００１５】
図１は、この発明の実施の形態に係るクリップ付き防護管１を示す正面図（ａ）と側面図（ｂ）である。このクリップ付き防護管１は、電線や通信線を含む架空線を絶縁保護するために、架空線を覆うように取り付けられる保護管であり、管状の管本体２と、洗濯バサミ状のクリップ３と、を備えている。ここで、架空線が電線（例えば、低圧引込電線）Ｌの場合について、以下に主として説明する。
【００１６】
管本体２は、電気絶縁性および弾性を有する樹脂で構成され、外周に凹凸が軸線に沿って連続的に形成された蛇腹状の円管で、電線Ｌの曲がりに沿って変形自在となっている。また、管本体２の側面には、軸線に沿って延びるスリット２ａ（切れ目）が、全長にわたって形成され、このスリット２ａを広げることで、長手方向に沿って延びる開口が形成されるようになっている。
【００１７】
さらに、スリット２ａの一端縁には、外側にほぼ垂直に突出して、この端縁に沿って延びる板状のガイド部２ｂが形成されている。そして、後述するように、このガイド部２ｂを電線Ｌに沿わせることで、電線Ｌを管本体２内に案内して挿入しやすいようになっている。
【００１８】
このような管本体２の内径は、想定される保護対象の電線Ｌを覆って取り付けられるように設定され、管本体２の長さは、電線Ｌの保護箇所を適正に覆うように設定されている。
【００１９】
クリップ３は、Ｘ状で、洗濯バサミと同様に、開閉軸３３を軸心に、操作部（基端部）３２を開閉操作することで、挟持部（先端部）３１が閉じたり開いたりするようになっており、このようなクリップ３が、管本体２の長手方向に沿って両端部に配設されている。すなわち、管本体２の両端部に挿入孔（図示せず）が形成され、この挿入孔からクリップ３の挟持部３１が挿入されて、挟持部３１が管本体２内に位置し、操作部３２が管本体２外に位置するように管本体２に取り付けられている。
【００２０】
そして、クリップ３の操作部３２を閉じて（操作して）挟持部３１を広げると、図２に示すように、挟持部３１で管本体２が押し広げられて、スリット２ａが広がって開口が形成され、この開口から管本体２内に電線Ｌを挿入可能となる。また、管本体内２に電線Ｌを挿入した状態で、クリップ３の操作部３２を開いて（操作して）挟持部３１を閉じると、図３に示すように、挟持部３１が電線Ｌを挟持するとともに、管本体２の開口が閉じるようになっている。
【００２１】
このように、クリップ３の挟持部３１の開閉に伴って管本体２の開口（スリット２ａ）が開閉するとともに、管本体２の開口を閉じた際に挟持部３１が電線Ｌを挟持するようになっている。換言すると、このような開口の開閉や電線Ｌの挿入、挟持が行えるように、クリップ３の形状や管本体２との配設位置が設定されている。
【００２２】
次に、このような構成のクリップ付き防護管１の取付方法や作用などについて説明する。ここで、間接活線工法で電線Ｌに取り付ける場合について、主として説明する。
【００２３】
クリップ付き防護管１を電線Ｌに取り付けるには、まず、間接活線工具のヤットコで一方のクリップ３の操作部３２を把持して閉じ、挟持部３１および管本体２のスリット２ａを広げて開口を形成する。この状態で、図２に示すように、管本体２のガイド部２ｂを電線Ｌに沿わせて電線Ｌを管本体２内に案内して、開口から管本体２内に電線Ｌを挿入し、間接活線工具のヤットコを広げる（離す）ことでクリップ３の挟持部３１を閉じる。これにより、図３に示すように、挟持部３１で電線Ｌが挟持されるとともに、管本体２の開口が閉じる。
【００２４】
次に、間接活線工具のヤットコで他方のクリップ３の操作部３２を把持して閉じ、挟持部３１および管本体２のスリット２ａを広げて開口を形成する。この状態で、管本体２を電線Ｌに沿って変形させながら、開口から管本体２内に電線Ｌを挿入する。この際、ガイド部２ｂを電線Ｌに沿わせて、管本体２を変形させながら管本体２内に電線Ｌを挿入する。そして、間接活線工具のヤットコを広げることでクリップ３の挟持部３１を閉じる。これにより、挟持部３１で電線Ｌが挟持されるとともに、管本体２の開口が閉じ、管本体２が電線Ｌを覆った状態で、クリップ付き防護管１が電線Ｌに取り付けられるものである。また、クリップ付き防護管１を電線Ｌから取り外すには、取付作業と逆の動作を行えばよい。
【００２５】
以上のように、本クリップ付き防護管１によれば、管本体２が変形自在となっているため、電線Ｌが曲がっている場合であっても、クリップ付き防護管１を適正かつ容易に取り付けることができる。また、クリップ３で電線Ｌを挟持した状態でクリップ付き防護管１が取り付けられるため、電線Ｌにクリップ付き防護管１を確実・強固かつ容易に取り付けることができる。
【００２６】
しかも、クリップ３で電線Ｌを挟持してクリップ付き防護管１を取り付けた状態では、管本体２の開口が閉じるため、安全性を確保することができる。さらに、クリップ３の操作部３２を開閉して、電線Ｌを挟持したり開放したりするだけで、クリップ付き防護管１を取り付けたり取り外したりできるため、作業性が向上する。
【００２７】
例えば、アレスタ（避雷器）の縁線に接近あるいは接触したカラスの営巣を撤去する際に、アレスタの縁線にクリップ付き防護管１を容易かつ適正、確実に取り付けることができるため、営巣の撤去作業を安全に行うことが可能となる。
【００２８】
さらに、クリップ３の操作部３２を操作するだけで、管本体２に開口を形成したり電線Ｌを挟持したりできるため、上記のように、間接活線工法においても容易に取り付けることが可能となる。しかも、管本体２のスリット２ａの端縁にガイド部２ｂが設けられているため、電線Ｌを管本体２内に挿入しやすくなり、より容易かつ適正に取り付けることが可能となる。
【００２９】
また、クリップ３が管本体２の長手方向に沿って複数（２つ）設けられているため、複数のクリップ３の挟持部３１で電線Ｌを挟持することで、より確実、適正にかつ安定して取り付けることが可能となる。
【００３０】
以上、この発明の実施の形態について説明したが、具体的な構成は、上記の実施の形態に限られるものではなく、この発明の要旨を逸脱しない範囲の設計の変更等があっても、この発明に含まれる。例えば、スリット２ａの一端縁にガイド部２ｂを設けているが、両端縁にガイド部２ｂを設けてもよく、これにより、挿入方向によらず、電線Ｌを管本体２内に容易に挿入することができる。
【００３１】
また、２つのクリップ３を管本体２に配設しているが、電線Ｌを防護する長さや電線Ｌの曲げ形状などに応じて、３つ以上のクリップ３を配設してもよい。さらに、クリップ３と管本体２とが別体で構成されているが、クリップ３と管本体２とを一体的に形成、構成してもよい。
【符号の説明】
【００３２】
１        クリップ付き防護管
２        管本体
２ａ      スリット
２ｂ      ガイド部
３        クリップ
３１      挟持部
３２      操作部
３３      開閉軸
Ｌ        電線（架空線）
【図１】
2016152748.tif 000003
【図２】
2016152748.tif 000004
【図３】
2016152748.tif 000005